(57)【要約】【課題】電気エネルギーを効率よく蓄えることができ、かつ内部抵抗の低い電気二重層キャパシタを提供する。【解決手段】電気二重層セルＣ１０１〜Ｃ１０６の各々が直列接続されるように集電極Ｅ１０１〜Ｅ１０７間に挟まれた状態で積層された電気二重層キャパシタＣ１００において、集電極Ｅ１０１〜Ｅ１０７の各々は外部に露出している外部接続端子ＴＭ１０１〜ＴＭ１０７を有している。これによって、各電気二重層セルＣ１０１〜Ｃ１０６間の電圧のばらつきを補正するための補正回路を外部接続端子ＴＭ１０１〜ＴＭ１０７の各々に接続することができるので、各電気二重層セルＣ１０１〜Ｃ１０６の電圧が均等になるように充電を行うことができ、電気エネルギーを効率よく蓄えることができる。【選択図】図１
2005079473.tif 000002
【特許請求の範囲】
【請求項１】
一対の分極性電極がセパレータを介して対向配置され、分極性電極及びセパレータに電解液が含浸された電気二重層セルを複数含み、該電気二重層セルの各々が直列接続されるように集電極間に挟まれた状態で積層されている電気二重層キャパシタであって、
電気二重層セルの各々は外部に対して封止されており、
集電極の各々は外部に露出している外部接続端子を有することを特徴とする電気二重層キャパシタ。
【発明の詳細な説明】
【技術分野】
【０００１】
本発明は、繰り返し充放電可能な蓄電装置として用いられる電気二重層キャパシタに関する。
【背景技術】
【０００２】
電気二重層キャパシタは、繰り返し充放電可能な蓄電装置として用いられている。電気二重層キャパシタは、電気化学反応を用いる二次電池と比較して、大電流による急速充放電が可能であり、かつ長寿命という特徴を有している。しかし、電気二重層キャパシタは耐電圧を超えて充電してしまうと急速に劣化してしまうので、耐電圧を超えない範囲で電気二重層キャパシタを使用する必要がある。通常、電気二重層キャパシタは、大容量を得るために、電気二重層が形成されたセルが並列に複数接続されて構成されている。ただし、この場合は、定格電圧は１〜３Ｖ程度と低く、また、薄い集電極の面方向に電流が流れるのでその分抵抗値が増加する。さらに、大電力蓄電装置として用いる場合は、高電圧化するために数１０〜数１００個の電気二重層キャパシタを直列接続して用いるので、抵抗値は直列接続する数に比例して増加する。集電極を厚くすれば面方向の抵抗値を低くできるが、その場合は電気二重層キャパシタの寸法が大きくなり、重量も増加する。
【０００３】
そこで、定格電圧の増加及び内部抵抗の低減のために、複数のセルが直列接続されるように積層された電気二重層キャパシタが提案されており、この直列に積層された電気二重層キャパシタの一例が特許文献１，２に開示されている。
【０００４】
【特許文献１】特許第２９４７２１５号公報
【特許文献２】特開２００２−１５９６２号公報
【発明の開示】
【発明が解決しようとする課題】
【０００５】
特許文献１，２に示すような複数のセルが直列接続された電気二重層キャパシタの両端に充電用電源を接続して充電を行う場合は、各セルにおける容量のばらつきがあるために、各セルにおける充電電圧にもばらつきが発生することになる。各セルに効率よく電気エネルギーを蓄積させるためには、セルの耐電圧を超えない範囲で各セルの電圧が均等になるように充電を行えることが望ましい。しかしながら、特許文献１，２に示す電気二重層キャパシタにおいては、各セルの電圧が均等になるように充電を行うことが困難であるため、電気エネルギーを効率よく蓄えることが困難であるという問題点があった。
【０００６】
本発明は、充電時に電気エネルギーを効率よく蓄えることができ、かつ内部抵抗の低い電気二重層キャパシタを提供することを目的とする。
【課題を解決するための手段】
【０００７】
このような目的を達成するために、本発明に係る電気二重層キャパシタは、一対の分極性電極がセパレータを介して対向配置され、分極性電極及びセパレータに電解液が含浸された電気二重層セルを複数含み、該電気二重層セルの各々が直列接続されるように集電極間に挟まれた状態で積層されている電気二重層キャパシタであって、電気二重層セルの各々は外部に対して封止されており、集電極の各々は外部に露出している外部接続端子を有することを特徴とする。
【０００８】
本発明によれば、集電極の各々は外部に露出している外部接続端子を有することにより、これらの外部接続端子に各電気二重層セル間の電圧のばらつきを補正するための補正回路を接続することができるので、各電気二重層セルの電圧が均等になるように充電を行うことができる。また、電気二重層キャパシタの集電極の厚み方向に電流が流れるので、面方向の抵抗値と比較して大幅に小さくでき、内部抵抗を低くできる。したがって、本発明によれば、電気二重層キャパシタに電気エネルギーを効率よく蓄えることができ、かつ内部抵抗を低くできる。
【発明を実施するための最良の形態】
【０００９】
以下、本発明の実施の形態（以下実施形態という）を、図面に従って説明する。
【００１０】
図１は、本発明の実施形態に係る電気二重層キャパシタの構成の概略を示す図であり、図１（Ａ）は上面から見た外観図を示し、図１（Ｂ）は側面から見た内部構造図を示す。本実施形態に係る電気二重層キャパシタＣ１００は、複数の電気二重層セルＣ１０１〜Ｃ１０６が直列接続されるように積層されて構成されている。ただし、直列に積層する電気二重層セルの数については任意に設定することができる。
【００１１】
容量を形成する電気二重層セルＣ１０１〜Ｃ１０６の各々は、一対の分極性電極１２，１４及びセパレータ１６を含んでいる。一対の分極性電極１２，１４はセパレータ１６を介して対向配置されている。分極性電極１２，１４及びセパレータ１６には電解液が含浸されている。
【００１２】
電気二重層セルＣ１０１〜Ｃ１０６の各々は、集電極Ｅ１０１〜Ｅ１０７間に挟まれた状態で直列接続されるように積層されている。また、電気二重層セルＣ１０１〜Ｃ１０６の各々は、パッキン１８によって外部に対して封止されている。パッキン１８はモールド用樹脂２０によって覆われている。
【００１３】
本実施形態の電気二重層キャパシタＣ１００においては、集電極Ｅ１０１〜Ｅ１０７の各々が外部に露出している外部接続端子ＴＭ１０１〜ＴＭ１０７をそれぞれ有している。そして、各電気二重層セルＣ１０１〜Ｃ１０６間の電圧のばらつきを補正するための補正回路を外部接続端子ＴＭ１０１〜ＴＭ１０７の各々に接続することにより、各電気二重層セルＣ１０１〜Ｃ１０６の電圧が均等になるように充電を行うことができる。なお、集電極Ｅ１０１〜Ｅ１０７の各々は互いに電気的に接続されていないため、外部接続端子ＴＭ１０１〜ＴＭ１０７の各々も互いに電気的に接続されていない。
【００１４】
本実施形態の電気二重層キャパシタＣ１００において、容量を増大させるためには、図２に示すように、電気二重層キャパシタＣ１００を並列に複数接続して用いる。さらに、図３に示すように、各電気二重層セルが直列接続されるように積層されたキャパシタを折り目２２に沿って折り曲げながら積み重ねることによっても容量を増大させることもできる。ここで、図３（Ａ）は折り曲げる前のキャパシタの上面から見た外観図を示す。一方、図３（Ｂ）は折り曲げた後のキャパシタの上面から見た外観図を示し、図３（Ｃ）は図３（Ｂ）におけるＡ−Ａ断面図を示す。ただし、図３（Ｃ）においては、直列に積層された各電気二重層セルの詳細図示を省略している。
【００１５】
本実施形態に係る電気二重層キャパシタＣ１００においては、図４に示すように、外部接続端子ＴＭ１０１，ＴＭ１０７間に直流電圧を出力する充電用電源Ｓ１０１が接続される。充電用電源Ｓ１０１の出力電圧については、電気二重層キャパシタＣ１００の耐電圧を超えない範囲で設定される。さらに、外部接続端子ＴＭ１０１〜ＴＭ１０７の各々に、各電気二重層セルＣ１０１〜Ｃ１０６間の電圧のばらつきを補正するための補正回路３０が接続される。ここで、複数の電気二重層キャパシタＣ１００が並列接続されている場合は、図４に示すように、各電気二重層キャパシタＣ１００の外部接続端子ＴＭ１０１〜ＴＭ１０７ごとに補正回路３０が接続される。以下、補正回路３０の一例について説明する。
【００１６】
図５は、各電気二重層セルＣ１０１〜Ｃ１０６間の電圧のばらつきを補正するための補正回路３０の一例を示す図である。ただし、図５においては、電気二重層セルＣ１０１〜Ｃ１０６にて形成されている容量をそれぞれＣ１０１〜Ｃ１０６として等価的に図示している。補正回路３０は、充電用トランスＴ１０１、スイッチＳＷ１０１〜ＳＷ１０６及びスイッチ制御回路Ｂ１０１を備えている。なお、電気二重層キャパシタＣ１００は並列に複数接続されていてもよい。また、図示は省略しているが、電気二重層キャパシタＣ１００の両端子ＴＭ１０１，ＴＭ１０７間には、負荷が接続される。
【００１７】
充電用トランスＴ１０１は、充電用巻線Ｌ１０１〜Ｌ１０６及び回収用巻線Ｌ１４１を含んでいる。充電用巻線Ｌ１０１〜Ｌ１０６は、電気二重層セルＣ１０１〜Ｃ１０６にそれぞれ対応して設けられており、電気二重層セルＣ１０１〜Ｃ１０６の両端子間にそれぞれ接続されている。すなわち、充電用巻線Ｌ１０１〜Ｌ１０６の両端子は、外部接続端子ＴＭ１０１〜ＴＭ１０７に接続されている。そして、充電用巻線Ｌ１０１〜Ｌ１０６は、互いに磁気的に結合されており、その巻数が略等しく設定されていることにより、電気二重層セルＣ１０１〜Ｃ１０６の各々の両端子間に略同一の誘起電圧を印加可能となっている。
【００１８】
回収用巻線Ｌ１４１は、電気二重層キャパシタＣ１００の両端子ＴＭ１０１，ＴＭ１０７間に接続されている。回収用巻線Ｌ１４１の巻数と充電用巻線Ｌ１０１〜Ｌ１０６の巻数の比は、直列接続された電気二重層セルの数に略等しく設定され、すなわち図５の例では約６倍に設定されている。そして、回収用巻線Ｌ１４１は、充電用巻線Ｌ１０１〜Ｌ１０６と磁気的に結合されていることにより、電気二重層キャパシタＣ１００に誘起電圧を印加可能となっている。また、回収用巻線Ｌ１４１と電気二重層キャパシタＣ１００との間には、回収用巻線Ｌ１４１から電気二重層キャパシタＣ１００への電流の流れのみを許容する整流ダイオードＣＤ１０１が設けられている。
【００１９】
スイッチＳＷ１０１〜ＳＷ１０６は、電気二重層セルＣ１０１と巻線Ｌ１０１との間、電気二重層セルＣ１０２と巻線Ｌ１０２との間、電気二重層セルＣ１０３と巻線Ｌ１０３との間、電気二重層セルＣ１０４と巻線Ｌ１０４との間、電気二重層セルＣ１０５と巻線Ｌ１０５との間、及び電気二重層セルＣ１０６と巻線Ｌ１０６との間における導通／非導通の切り換えがそれぞれ可能である。スイッチＳＷ１０１〜ＳＷ１０６の一例としては、ＦＥＴを用いることができる。
【００２０】
スイッチ制御回路Ｂ１０１は、スイッチＳＷ１０１〜ＳＷ１０６の導通／非導通を同期させて交互に切り換える制御を行う。
【００２１】
次に、図５に示す回路による充電動作について説明する。
【００２２】
電気二重層キャパシタＣ１００には、充電用電源Ｓ１０１からの電圧が印加される。一方、スイッチ制御回路Ｂ１０１は、スイッチＳＷ１０１〜ＳＷ１０６の導通／非導通を同期させながら交互に切り換える制御を行う。
【００２３】
ここで、互いに磁気的に結合された充電用巻線Ｌ１０１〜Ｌ１０６の巻数は略等しいため、スイッチＳＷ１０１〜ＳＷ１０６の導通時における充電用巻線Ｌ１０１〜Ｌ１０６に発生する誘起電圧は略同一となる。充電用巻線Ｌ１０１〜Ｌ１０６は電気二重層セルＣ１０１〜Ｃ１０６の両端子間にそれぞれ接続されるため、充電用巻線Ｌ１０１〜Ｌ１０６に発生する誘起電圧は、ほぼ電気二重層セルＣ１０１〜Ｃ１０６の平均電圧となり、スイッチＳＷ１０１〜ＳＷ１０６の導通時には、この電圧が電気二重層セルＣ１０１〜Ｃ１０６の各々に印加される。
【００２４】
スイッチＳＷ１０１〜ＳＷ１０６の導通時に、電気二重層セルＣ１０１〜Ｃ１０６の電圧にばらつきが発生している場合、誘起電圧より電圧の高い電気二重層セルについては該電気二重層セルの両端子間に接続された充電用巻線へ放電電流が流れ、誘起電圧より電圧の低い電気二重層セルについては該電気二重層セルの両端子間に接続された充電用巻線からの充電電流が流れる。したがって、各電気二重層セルＣ１０１〜Ｃ１０６の電圧が均等になるように充電が行われる。
【００２５】
スイッチＳＷ１０１〜ＳＷ１０６の非導通時には、充電用トランスＴ１０１に蓄えられた磁気エネルギーにより、回収用巻線Ｌ１４１に誘起電圧が発生する。この電圧が電気二重層キャパシタＣ１００に印加され、充電電流が整流ダイオードＣＤ１０１を介して電気二重層キャパシタＣ１００へ流れることにより、エネルギー回収が行われ、電気二重層キャパシタＣ１００の充電が行われる。
【００２６】
このように、図５に示す回路においては、充電用トランスＴ１０１の充電用巻線Ｌ１０１〜Ｌ１０６により各電気二重層セルＣ１０１〜Ｃ１０６の両端子間に略同一の誘起電圧を印加することができるので、各電気二重層セルＣ１０１〜Ｃ１０６の電圧が均等になるように充電を行うことができ、電気二重層セルＣ１０１〜Ｃ１０６に効率よく電気エネルギーを蓄積することができる。
【００２７】
さらに、補正回路３０の他の例を図６に示す。図６に示す回路における充電用トランスＴ１０１は、互いに磁気的に結合された中点タップ付き巻線Ｌ１５１〜Ｌ１５３を含んでいる。
【００２８】
中点タップ付き巻線Ｌ１５１については、その中点が電気二重層セルＣ１０１と電気二重層セルＣ１０２との間の外部接続端子ＴＭ１０２に接続され、その両端子が電気二重層セルＣ１０１，Ｃ１０２の両端子である外部接続端子ＴＭ１０１，ＴＭ１０３と接続される。ただし、中点タップ付き巻線Ｌ１５１の電気二重層セルＣ１０１，Ｃ１０２の正負端子（外部接続端子ＴＭ１０１，ＴＭ１０３）に対する接続方向がスイッチＳＷ１０１，ＳＷ１０２によって切り換え可能である。具体的には、スイッチＳＷ１０１，ＳＷ１０２は、電気二重層セルＣ１０１の正側端子（外部接続端子ＴＭ１０１）と中点タップ付き巻線Ｌ１５１の一端子とを接続し、電気二重層セルＣ１０２の負側端子（外部接続端子ＴＭ１０３）と中点タップ付き巻線Ｌ１５１の他端子とを接続する第１の状態（図６に示す状態）と、電気二重層セルＣ１０１の正側端子（外部接続端子ＴＭ１０１）と中点タップ付き巻線Ｌ１５１の他端子とを接続し、電気二重層セルＣ１０２の負側端子（外部接続端子ＴＭ１０３）と中点タップ付き巻線Ｌ１５１の一端子とを接続する第２の状態と、の切り換えが可能である。
【００２９】
同様に、中点タップ付き巻線Ｌ１５２については、その中点が電気二重層セルＣ１０３と電気二重層セルＣ１０４との間（外部接続端子ＴＭ１０４）に接続され、その両端子が電気二重層セルＣ１０３，Ｃ１０４の両端子（外部接続端子ＴＭ１０３，ＴＭ１０５）と接続される。スイッチＳＷ１０３，ＳＷ１０４は、電気二重層セルＣ１０３の正側端子（外部接続端子ＴＭ１０３）と中点タップ付き巻線Ｌ１５２の一端子とを接続し、電気二重層セルＣ１０４の負側端子（外部接続端子ＴＭ１０５）と中点タップ付き巻線Ｌ１５２の他端子とを接続する第１の状態（図６に示す状態）と、電気二重層セルＣ１０３の正側端子（外部接続端子ＴＭ１０３）と中点タップ付き巻線Ｌ１５２の他端子とを接続し、電気二重層セルＣ１０４の負側端子（外部接続端子ＴＭ１０５）と中点タップ付き巻線Ｌ１５２の一端子とを接続する第２の状態と、の切り換えが可能である。そして、中点タップ付き巻線Ｌ１５３については、その中点が電気二重層セルＣ１０５と電気二重層セルＣ１０６との間（外部接続端子ＴＭ１０６）に接続され、その両端子が電気二重層セルＣ１０５，Ｃ１０６の両端子（外部接続端子ＴＭ１０５，ＴＭ１０７）と接続される。スイッチＳＷ１０５，ＳＷ１０６は、電気二重層セルＣ１０５の正側端子（外部接続端子ＴＭ１０５）と中点タップ付き巻線Ｌ１５３の一端子とを接続し、電気二重層セルＣ１０６の負側端子（外部接続端子ＴＭ１０７）と中点タップ付き巻線Ｌ１５３の他端子とを接続する第１の状態（図６に示す状態）と、電気二重層セルＣ１０５の正側端子（外部接続端子ＴＭ１０５）と中点タップ付き巻線Ｌ１５３の他端子とを接続し、電気二重層セルＣ１０６の負側端子（外部接続端子ＴＭ１０７）と中点タップ付き巻線Ｌ１５３の一端子とを接続する第２の状態と、の切り換えが可能である。
【００３０】
このように、図６に示す構成においては、電気二重層セルＣ１０１，Ｃ１０２に誘起電圧を印加するための充電用巻線Ｌ１０１，Ｌ１０２が中点タップ付き巻線Ｌ１５１によって構成されている。同様に、電気二重層セルＣ１０３，Ｃ１０４に誘起電圧を印加するための充電用巻線Ｌ１０３，Ｌ１０４が中点タップ付き巻線Ｌ１５２によって構成され、電気二重層セルＣ１０５，Ｃ１０６に誘起電圧を印加するための充電用巻線Ｌ１０５，Ｌ１０６が中点タップ付き巻線Ｌ１５３によって構成されている。そして、上記に説明したスイッチＳＷ１０１，ＳＷ１０２の第１の状態と第２の状態とを交互に切り換えることで、充電用巻線Ｌ１０１，Ｌ１０２の電気二重層セルＣ１０１，Ｃ１０２の正負端子（外部接続端子ＴＭ１０１，ＴＭ１０３）に対する接続方向の切り換えが可能である。同様に、スイッチＳＷ１０３，ＳＷ１０４の第１の状態と第２の状態とを交互に切り換えることで、充電用巻線Ｌ１０３，Ｌ１０４の電気二重層セルＣ１０３，Ｃ１０４の正負端子（外部接続端子ＴＭ１０３，ＴＭ１０５）に対する接続方向の切り換えが可能であり、スイッチＳＷ１０５，ＳＷ１０６の第１の状態と第２の状態とを交互に切り換えることで、充電用巻線Ｌ１０５，Ｌ１０６の電気二重層セルＣ１０５，Ｃ１０６の正負端子（外部接続端子ＴＭ１０５，ＴＭ１０７）に対する接続方向の切り換えが可能である。
【００３１】
スイッチ制御回路Ｂ１０１は、上記に説明したスイッチＳＷ１０１〜ＳＷ１０６の第１の状態と第２の状態とをそれらの状態の時間配分が略等しくなるように同期させながら交互に切り換える制御を行う。
【００３２】
他の構成については図５に示す構成と同様であるため説明を省略し、以下、図６に示す構成の充電動作について説明する。
【００３３】
電気二重層キャパシタＣ１００には、充電用電源Ｓ１０１からの電圧が印加される。一方、スイッチ制御回路Ｂ１０１は、上記に説明したスイッチＳＷ１０１〜ＳＷ１０６の第１の状態と第２の状態とを同期させながら交互に切り換える制御を行う。
【００３４】
ここで、互いに磁気的に結合された充電用巻線Ｌ１０１〜Ｌ１０６の巻数は略等しいため、スイッチＳＷ１０１〜ＳＷ１０６の第１の状態時において充電用巻線Ｌ１０１〜Ｌ１０６に発生する誘起電圧は略同一となる。充電用巻線Ｌ１０１〜Ｌ１０６は電気二重層セルＣ１０１〜Ｃ１０６の両端子間にそれぞれ接続されるため、充電用巻線Ｌ１０１〜Ｌ１０６に発生する誘起電圧は、ほぼ電気二重層セルＣ１０１〜Ｃ１０６の平均電圧となり、スイッチＳＷ１０１〜ＳＷ１０６の第１の状態時に、この電圧が電気二重層セルＣ１０１〜Ｃ１０６の各々に印加される。
【００３５】
図６に示す構成においては、スイッチＳＷ１０１〜ＳＷ１０６を第２の状態に切り換えても、ほぼ電気二重層セルＣ１０１〜Ｃ１０６の平均電圧となる誘起電圧が充電用巻線Ｌ１０１〜Ｌ１０６の各々に発生し、この電圧が電気二重層セルＣ１０１〜Ｃ１０６の各々に印加される。
【００３６】
図５に示す構成と同様に、電気二重層セルＣ１０１〜Ｃ１０６の電圧にばらつきが発生している場合、誘起電圧より電圧の高い電気二重層セルについては該電気二重層セルの両端子間に接続された充電用巻線へ放電電流が流れ、誘起電圧より電圧の低い電気二重層セルについては該電気二重層セルの両端子間に接続された充電用巻線からの充電電流が流れる。したがって、各電気二重層セルＣ１０１〜Ｃ１０６の電圧が均等になるように充電が行われる。
【００３７】
図６に示す構成においては、電気二重層セルＣ１０１〜Ｃ１０６と充電用巻線Ｌ１０１〜Ｌ１０６との接続動作はプッシュプル動作となるため、電圧のばらつきを補正するための誘起電圧を常に印加することが可能となり、均等充電動作を効率よく行うことができる。また、充電用トランスＴ１０１に蓄えられた磁気エネルギーは逆の半サイクルで電気二重層セルＣ１０１〜Ｃ１０６へ回収可能なため、図５に示す構成における回収用巻線Ｌ１４１及び整流ダイオードＣＤ１０１を省略することができる。
【００３８】
以上説明したように、本実施形態によれば、電気二重層セルＣ１０１〜Ｃ１０６の各々が直列接続されるように集電極Ｅ１０１〜Ｅ１０７間に挟まれた状態で積層された電気二重層キャパシタＣ１００において、集電極Ｅ１０１〜Ｅ１０７の各々が外部に露出している外部接続端子ＴＭ１０１〜ＴＭ１０７を有している。したがって、各電気二重層セルＣ１０１〜Ｃ１０６間の電圧のばらつきを補正するための補正回路３０を外部接続端子ＴＭ１０１〜ＴＭ１０７の各々に接続することができるので、各電気二重層セルＣ１０１〜Ｃ１０６の電圧が均等になるように充電を行うことができる。したがって、本実施形態によれば、電気二重層キャパシタＣ１００に電気エネルギーを効率よく蓄えることができる。
【００３９】
なお、本実施形態の電気二重層キャパシタＣ１００の充電の際には、図５，６に示す回路以外に、各電気二重層セルＣ１０１〜Ｃ１０６に並列接続するためのバランス抵抗等も外部接続端子ＴＭ１０１〜ＴＭ１０７の各々に接続してもよく、各電気二重層セルＣ１０１〜Ｃ１０６間の電圧のばらつきを補正するための回路であれば、いかなる回路を外部接続端子ＴＭ１０１〜ＴＭ１０７の各々に接続してもよい。
【００４０】
以上、本発明の実施の形態について説明したが、本発明はこうした実施の形態に何等限定されるものではなく、本発明の技術思想を逸脱しない範囲内において、種々なる形態で実施し得ることは勿論である。
【図面の簡単な説明】
【００４１】
【図１】本発明の実施形態に係る電気二重層キャパシタの構成の概略を示す図である。
【図２】本発明の実施形態に係る電気二重層キャパシタの容量を増大させる方法の一例を説明する図である。
【図３】本発明の実施形態に係る電気二重層キャパシタの容量を増大させる方法の一例を説明する図である。
【図４】本発明の実施形態に係る電気二重層キャパシタの充電方法を説明する図である。
【図５】本発明の実施形態に係る電気二重層キャパシタの充電に用いられる補正回路の一例を示す図である。
【図６】本発明の実施形態に係る電気二重層キャパシタの充電に用いられる補正回路の一例を示す図である。
【符号の説明】
【００４２】
Ｃ１００  電気二重層キャパシタ、Ｃ１０１〜Ｃ１０６  電気二重層セル、Ｅ１０１〜Ｅ１０７  集電極、ＴＭ１０１〜ＴＭ１０７  外部接続端子。
【図１】
2005079473.tif 000003
【図２】
2005079473.tif 000004
【図３】
2005079473.tif 000005
【図４】
2005079473.tif 000006
【図５】
2005079473.tif 000007
【図６】
2005079473.tif 000008